(57)【特許請求の範囲】
【請求項１】
回動操作される操作ノブと、
該操作ノブと一体的に回動し駆動用のギヤー部が形成された回動部材と、
該回動部材のギヤー部に噛合する被駆動用のギヤー部が形成されたギヤー部材と、
該ギヤー部材と空調装置側を連結する連結部材と、
前記操作ノブを配設し、前記操作ノブの回動位置を指示する表示部が設けられた表示板とを備え、
前記表示板の表示部を等間隔に前記操作ノブの周囲に配設し、
前記ギヤー部に形成された個々の歯の回転中心からの距離を前記表示板の表示部における前記操作ノブの中立位置から前記操作ノブの回動方向に向けて所定角度で変化させ、前記表示板の表示部に応じた前記操作ノブの一定の角度回動に対して、前記ギヤー部材への伝達比を前記操作ノブの回動方向に向けて所定角度で変化させ、
前記操作ノブの回動に応じて空調装置側部材を駆動するようにしたヒーターコントロール装置において、
前記回動部材のギヤー部の歯を前記表示板の表示部における前記操作ノブの中立位置から前記操作ノブの回動方向の一方側に向けて回転中心からの距離が大きくなるように形成し、前記操作ノブの中立位置から前記操作ノブの回動方向の他方側に回転中心からの距離が小さくなる歯を形成したことを特徴とするヒーターコントロール装置。
【請求項２】
回動操作される操作ノブと、
該操作ノブと一体的に回動し駆動用のギヤー部が形成された回動部材と、
該回動部材のギヤー部に噛合する被駆動用のギヤー部が形成されたギヤー部材と、
該ギヤー部材と空調装置側を連結する連結部材と、
前記操作ノブを配設し、前記操作ノブの回動位置を指示する表示部が設けられた表示板とを備え、
前記表示板の表示部を等間隔に前記操作ノブの周囲に配設し、
前記ギヤー部に形成された個々の歯の回転中心からの距離を前記表示板の表示部における前記操作ノブの中立位置から前記操作ノブの回動方向に向けて所定角度で変化させ、前記表示板の表示部に応じた前記操作ノブの一定の角度回動に対して、前記ギヤー部材への伝達比を前記操作ノブの回動方向に向けて所定角度で変化させ、
前記操作ノブの回動に応じて空調装置側部材を駆動するようにしたヒーターコントロール装置において、
前記回動部材のギヤー部は、前記操作ノブが前記表示板の表示部における中立位置となる中央部に回転中心からの距離が小さくなる歯を形成し、前記中央部の両側部に回転中心からの距離が大きくなる歯を形成したことを特徴とするヒーターコントロール装置。
【発明の詳細な説明】
【０００１】
【発明が属する技術分野】
本発明は、回動操作される操作ノブと、空調装置側部材とをギヤーを介して連結し、操作ノブの回動に応じて空調装置側部材を駆動するようにしたヒーターコントロール装置に関する。
【０００２】
【従来の技術】
従来、車両の空調装置側部材をギヤーを介して運転席近傍のダッシュボード部に設けた操作ノブの回動により開閉操作するようにしたヒーターコントロール装置がある。
【０００３】
この種のヒーターコントロール装置は、例えば、特開昭５５−１１９５１４号公報に示すように、ダッシュボード部に回動自在な回動部材を設け、この回動部材には車室内側の一端に操作ノブを設けるとともにその他端にはかさ歯車を設け、このかさ歯車にはこれの回動によって揺動される揺動半径の比較的大きな扇状のかさ歯車を噛合させ、この扇状のかさ歯車の揺動端にはその中央部に上記ワイヤーケーブルの一端をその揺動角度範囲の全域に渡って略接線方向に沿わせて連結させるようになっている。従って、操作ノブを回動させるとその回動量に比較して扇状の傘歯車が揺動し、傘歯車に連結されているワイヤーケーブルが伸縮されるようになっている。
【０００４】
このようなものにおいては、操作ノブの回動量に対するワイヤーケーブルの伸縮量は、中央付近では大きく中心から離れるにしたがって小さくなるものであった。これを、ワイヤーケーブルの伸縮量に比例して温風と冷風との混合量を調節するエアミックスダンパーを開度制御させて温度調節するようにしたものに使用した場合について概略を説明する。
【０００５】
温度調節装置１００は、図９及び図１０に示すように、温度調節装置１００の温度調節用の操作ノブ１０１が、中立位置にあるときには、空調装置側部材の温風と冷風との混合量を調節するエアミックスダンパー（図示せず）も中立位置にある。そして、この位置から操作ノブ１０１を時計回りに回動させると、該操作ノブ１０１の背面側に取り付けられている回動部材１０２が一体的に時計回りに回動し、回動部材１０２のギヤー部１０３とギヤーレバー１０４のギヤー部１０５が噛合しているため、ギヤーレバー１０４は図１０において時計回りに回動する。ギヤーレバー１０４が時計回りに回動すると、ギヤーレバー１０４のワイヤー取付穴１０６に取り付けられたワイヤーケーブル１０７のインナワイヤ１０８が右側に移動し、空調装置側部材のエアミックスダンパーを駆動して冷風を減少させ、温風の量を増加させる。そして、これとは反対に中立位置から操作ノブ１０１を反時計回りに回動させると、同様にギヤーレバー１０４は反時計回りに回動し、インナワイヤ１０８が左側に移動して、空調装置側部材のエアミックスダンパーを駆動させて温風を減少させ、冷風の量を増加させるようになっている。
【０００６】
なお、この温度調節装置１００は、図１１（ａ）に示すように、ギヤーレバー１０４が中立位置からα１度回動したときのインナワイヤ１０８の伸縮量をｓ１とし、さらにインナワイヤ１０８をｓ１だけ移動させるために必要なギヤーレバー１０４の回動角度をα２、さらにインナワイヤ１０８をｓ１だけ移動させるために必要なギヤーレバー１０４の回動角度をα３とすると、このギヤーレバー１０４の回動角度の関係は、α１＜α２＜α３となる。
【０００７】
このため、ギヤーレバー１０４の回動角度とインナワイヤ１０８の伸縮量の関係は、ギヤーレバー１０４が中央付近で回動している時は伸縮量は大きく中央から離れた位置でギヤーレバー１０４が回動する場合には伸縮量は小さくなるものである。従って、操作ノブ１０１を操作した場合、中央付近では温度変化が激しく微調整ができなくなり、中央付近から離れた位置では、操作ノブ１０１の回動量に対して変化が少ないという不具合が発生していた。そして、表示板１０９に操作ノブ１０１の回動を指示させる場合には、図９に示すように各目盛り１１０の間隔を中央付近では狭い間隔にし、中央から離れるに従って広い間隔の表示に設定しなければならなかった。
【０００８】
次に、送風モード切換装置２００に使用した場合について説明する。送風モード切換装置２００は、図９に示す状態では送風モード切換用の操作ノブ２０１が中立位置にあり、送風モード切換装置の風向はＦＯＯＴの位置にあり足元に風を送るようになっている。
【０００９】
この位置から操作ノブ２０１を時計回りに回動させると、回動部材２０２が時計回りに回動し、回動部材２０２のギヤー部２０３とギヤーレバー２０４のギヤー部２０５が噛合して、ギヤーレバー２０４は図１０において時計回りに回動し、ギヤーレバー２０４のワイヤー取付穴２０６に取り付けられたワイヤーケーブル２０７のインナワイヤ２０８を介して風向きを変えるダンパーを駆動し、送風モード切換装置の風向をＦＯＯＴ−ＤＥＦの位置にして、足元とフロントガラスに向けて送風し、更に操作ノブ２０１を時計回りに回動させると、送風モード切換装置２００はＤＥＦの位置となり、足元への送風を止めてフロントガラスにのみ向けて送風するようになっている。そして、これとは反対に中立位置から操作ノブ２０１を反時計回りに回動させると、送風モード切換装置２００はＦＯＯＴ−ＦＡＣＥの位置となり、足元と顔方向に送風するようになり、更に操作ノブ２０１を反時計回りに回動させると、ＦＡＣＥの位置となり、足元への送風を止めて顔方向にのみ送風するようになっている。
【００１０】
なお、この送風モード切換装置２００は、図１１（ｂ）に示すように、ギヤーレバー２０４が時計回りに回動してＦＯＯＴ−ＤＥＦの位置にするまで、およびのＦＯＯＴ−ＤＥＦの位置からＤＥＦにするまでの回動角度をα４、α５、ギヤーレバー２０４が反時計回りに回動してＦＯＯＴ−ＦＡＣＥの位置にするまで、およびのＦＯＯＴ−ＦＡＣＥの位置からＦＡＣＥにするまでの回動角度をα６、α７とすると、この回動角度の関係は、α５＜α４＜α６＜α７となるように構成されている。
【００１１】
従って、操作ノブ２０１を操作した場合、時計回り側では小さい角度となり、反時計回り側では操作角度を大きくしなければならないという不具合が発生し、表示板１０９に操作ノブ２０１の回動を指示させる場合には、送風モード用の表示部２０９は図９に示すように、時計回り側のＦＯＯＴからＤＥＦ側には操作角度の小さい表示となり、反時計回り側のＦＯＯＴからＦＡＣＥ側は操作角度の大きい表示となり、バランスの取れない歪な表示部になってしまうものであった。
【００１２】
【発明が解決しようとする課題】
この発明は、この点に着目し、操作ノブと空調装置側部材を連結する連結部材のストロークが等間隔でなくても、操作ノブの回動間隔が等間隔となるようにすることを課題としてなされたものである。
【００１３】
上記の課題を達成するために、本発明では、回動操作される操作ノブと、該操作ノブと一体的に回動し駆動用のギヤー部が形成された回動部材と、該回動部材のギヤー部に噛合する被駆動用のギヤー部が形成されたギヤー部材と、該ギヤー部材と空調装置側を連結する連結部材と、前記操作ノブを配設し、前記操作ノブの回動位置を指示する表示部が設けられた表示板とを備え、前記表示板の表示部を等間隔に前記操作ノブの周囲に配設し、前記ギヤー部に形成された個々の歯の回転中心からの距離を前記表示板の表示部における前記操作ノブの中立位置から前記操作ノブの回動方向に向けて所定角度で変化させ、前記表示板の表示部に応じた前記操作ノブの一定の角度回動に対して、前記ギヤー部材への伝達比を前記操作ノブの回動方向に向けて所定角度で変化させ、前記操作ノブの回動に応じて空調装置側部材を駆動するようにしたヒーターコントロール装置において、前記回動部材のギヤー部の歯を前記表示板の表示部における前記操作ノブの中立位置から前記操作ノブの回動方向の一方側に向けて回転中心からの距離が大きくなるように形成し、前記操作ノブの中立位置から前記操作ノブの回動方向の他方側に回転中心からの距離が小さくなる歯を形成した構造としている。
【００１４】
この構成によれば、操作ノブの回動を伝達するギヤー部を非円形としただけの構造のため、部品を増加させることなく簡単な構造で目的を達成することができる。
【００１５】
すなわち、前記回動部材のギヤー部の歯を前記表示板の表示部における前記操作ノブの中立位置から前記操作ノブの回動方向の一方側に向けて回転中心からの距離が大きくなるように形成し、前記操作ノブの中立位置から前記操作ノブの回動方向の他方側に回転中心からの距離が小さくなる歯を形成しているので、左右に分割したギヤーを設けるだけの簡単な構造で、ギヤー部材の一方側の回動角度と他方側の回動角度に差があっても、操作ノブ側のモードの間隔を概略均一にすることができる。
【００１６】
また、前記回動部材のギヤー部は、前記操作ノブが前記表示板の表示部における中立位置となる中央部に回転中心からの距離が小さくなる歯を形成し、前記中央部の両側部に回転中心からの距離が大きくなる歯を形成するようにすれば、ギヤー部材の回動量に対するワイヤーケーブルの伸縮量が、中央付近では大きく中心から離れるにしたがって小さくなるものであっても、これを補正することができ、操作ノブ側のモードの間隔を概略均一にすることができる。
【００１７】
【発明の実施の形態】
次に、本発明の実施例を添付図面に従って説明する。図１，図２は、本発明の第１実施例と第２実施例を適用した自動車のヒーターコントロ―ル装置を示し、このヒーターコントロール装置は、表示板１とベース部２が一体的に形成されており、ベース部２には温風と冷風との混合量を調節するエアミックスダンパー（図示せず）を開度制御させて温度調節する温度調節装置３、風向を切り換える送風モード切換装置４、風量を調節する風量調節装置５、内気循環と外気導入を切り換える内外気切換装置６、エアコンモードにするＡ／Ｃスイッチ７、リヤーウィンドの熱線を通電させて曇りをとるリヤデフスイッチ８等が装着されている。
【００１８】
そして、表示板１の前面側には温度調節装置３を作動させる温度調節用の操作ノブ９、送風モード切換装置４を作動させる送風モード切換用の操作ノブ１０、風量調節装置５を作動させる風量調節用の操作ノブ１１、内外気切換装置６を作動させる内外気切換用の操作ノブ１２、Ａ／Ｃスイッチ７をオン・オフするスイッチノブ７ａ、リヤデフスイッチ８をオン・オフするスイッチノブ８ａが配設されている。
【００１９】
また、表示板１の前面側を表示面１３とし、この表示面１３には、温度調節用の操作ノブ９の周囲に時計回り方向に温風の量が増加し、反時計回り方向に冷風の量が多くなるように表示された温度調節用の表示部１４が印刷されている。この表示部１４は時計回り側に太くなっている温風用の表示１４ａと反時計回り側に太くなっている冷風用の表示１４ｂで構成され、この表示１４ａと１４ｂは共に等間隔で分割され、その分割部分がメモリ１４ｃの役目を果たしている。そして、操作ノブ９を回動させるとその指針マーク９ａが各表示を指すようになっている。
【００２０】
送風モード切換用の操作ノブ１０の周囲には送風モード用の表示部１５が印刷され、この表示部１５は中央に足元に風を送るＦＯＯＴ用の表示１５ｃを有し、時計回り側にはフロントガラスに向けて風を送るＤＥＦ用の表示１５ｅと足元とフロントガラスの両方に風を送るＦＯＯＴ−ＤＥＦ用の表示１５ｄを有し、反時計回り側には顔に向けて風を送るＦＡＣＥ用の表示１５ａと足元と顔の両方に向けて風を送るＦＯＯＴ−ＦＡＣＥ用の表示１５ｂを有している。そして、これら表示１５ａ乃至１５ｅは概略同間隔で配設されており、操作ノブ１０を回動させるとその指針マーク１０ａが各表示を指すようになっている。
【００２１】
風量調節用の操作ノブ１１の周囲には風量調節用の表示部１６が印刷され、この表示部１６は風量調節用であることを示す表示１６ａと風量の段階０乃至４の表示１６ｂを有している。そして操作ノブ１１の指針マーク１１ａが図１で示す「０」の位置を指しているときには風量はゼロで、「１」を指しているときには微風、「４」を指しているときには最大の風量が噴射されるようになっている。また、内外気切換用の操作ノブ１２の左側には内気循環用の表示１２ａ、右側には外気導入用の表示１２ｂが印刷されている。そして、操作ノブ１２が左側にあるときには内気循環となり、右側に移動したときには外気が導入されるようになっている。
【００２２】
以下、風量調節装置５、内外気切換装置６、Ａ／Ｃスイッチ７、リヤデフスイッチ８については、従来と変わるところがないので、説明を省略し、温度調節装置３と送風モード切換装置４について更に具体的に説明する。
【００２３】
温度調節装置３は本発明の第１実施例を示し、この温度調節装置３の温度調節用の操作ノブ９の背面側には、該操作ノブ９と一体的に回動する回動部材３０が表示板１を挟んで取り付けられている。この回動部材３０には駆動用のギヤー部３１が形成され、この駆動用のギヤー部３１は、図３（ａ）に示すように両側に各４本の歯で構成された大径の歯部３２，３３と中央に５本の歯で構成された小径の歯部３４と、大径の歯部３２，３３と小径の歯部３４との間に形成され、順次径が変化した３本の歯で構成された図中左側の中間の歯部３５及び、右側の中間の歯部３６で構成されている。
【００２４】
この中間の歯部３５の歯３５ａ，３５ｂ，３５ｃの小径の歯部３４側には図４（ａ），（ｂ）に示すように、それぞれアール状に切除されたアール部３５ｄ，３５ｅ，３５ｆとなっている。同様に中間の歯部３６の歯３６ａ，３６ｂ，３６ｃも小径の歯部３４側がアール状に切除されたアール部３６ｄ，３６ｅ，３６ｆとなっている。
【００２５】
このように、ギヤー部３１の個々の歯を、回転中心からの距離を変化させて設けるようにしているため、ギヤ比の異なる複数のギヤ部材を必要とせず、部品点数が増加することがない。
【００２６】
更に回動部材３０の後端部は軸部３７が形成されている。軸部３７はベース部２に突設された筒部２１に形成された軸受部２２に挿通している。
【００２７】
そして回動部材３０の後側下方部（図２において紙面の背面側）にはギヤーレバー４０が配設されている。ギヤーレバー４０は前記筒部２１に回動可能に嵌合し筒部２１の外周部に形成された爪部２３により上方側（図２において紙面の手前側）への抜けが阻止されている。
【００２８】
このギヤーレバー４０は、図３（ｂ）に示すように、前記回動部材３０の駆動用のギヤー部３１と噛合する被駆動用のギヤー部４１を備え、この被駆動用のギヤー部４１は、両側に前記駆動用のギヤー部３１の大径の歯部３２，３３と噛合する歯部４２，４３と小径の歯部３４と噛合する歯部４４と中間の歯部３５，３６と噛合する歯部４５，４６で構成されている。
【００２９】
この歯部４５の歯４５ａ，４５ｂ，４５ｃの歯部４２側には図４（ａ），（ｂ）に示すように、それぞれアール状に切除されたアール部４５ｄ，４５ｅ，４５ｆとなっている。同様に歯部４６の歯４６ａ，４６ｂ，４６ｃも歯部４３側がアール状に切除されたアール部４６ｄ，４６ｅ，４６ｆとなっている。
【００３０】
なお、回動部材３０に形成されたギヤー部３１の大径の歯部３２，３３、及び中間の歯部３５，３６の歯３５ａ，３６ａの回動半径ｒ１、歯３５ｂ，３６ｂの回動半径ｒ２、歯３５ｃ，３６ｃの回動半径ｒ３、小径の歯部３４の回動半径ｒ４とし、ｒ１＞ｒ２＞ｒ３＞ｒ４となるように構成している。従って、回動部材３０が同じ角度で回動した場合、大径の歯部３２，３３が被駆動用のギヤー部４１と噛合してギヤーレバー４０を回動させる角度の方が小径の歯部３４が被駆動用のギヤー部４１と噛合してギヤーレバー４０を回動させる角度よりも大きくなる。すなわち、半径ｒ１、ｒ２、ｒ３、ｒ４の大きさに比例してギヤーレバー４０を回動させる角度が大きくなる。
【００３１】
また、ギヤーレバー４０の後方には張出部４７が形成され、この張出部４７にはワイヤー取付穴４８が形成されている。そして、ギヤーレバー４０の回動が連結部材としてのワイヤーケーブル４９のインナワイヤ４９ａを介して空調装置側部材の温風と冷風との混合量を調節するエアミックスダンパー（図示せず）を開度制御させるようになっている。
【００３２】
そして、ギヤーレバー４０の回動角度とインナワイヤ４９ａの伸縮量の関係は、図１１（ａ）に示した従来例と同様に、ギヤーレバー４０が中立位置からα１度回動したときのインナワイヤ４９ａの伸縮量をｓ１とし、さらにインナワイヤ４９ａをｓ１だけ移動させるために必要なギヤーレバー４０の回動角度をα２、さらにインナワイヤ４９ａをｓ１だけ移動させるために必要なギヤーレバー４０の回動角度をα３とすると、このギヤーレバー４０の回動角度の関係は、α１＜α２＜α３となる。なお、本実施例のギヤレバー４０は従来例のギヤレバー１０４に対して、ギヤー部４１の形状が相違している点で異なる。
【００３３】
送風モード切換装置４は本発明の第２実施例を示し、この送風モード切換装置４の送風モード切換用の操作ノブ１０の背面側には、該操作ノブ１０と一体的に回動する回動部材５０が表示板１を挟んで取り付けられている。この回動部材５０には駆動用のギヤー部５１が形成され、この駆動用のギヤー部５１は、図５（ａ）に示すように図中左側に９本の歯で形成された大径の歯部５２と、図中右側に７本の歯で形成された小径の歯部５３と、大径の歯部５２と小径の歯部５３との間に形成され、順次径が変化した３本の歯で構成された中間の歯部５４で構成されている。この中間の歯部５４の各歯の小径の歯部５３側は、それぞれアール状に切除されている。
【００３４】
更に回動部材５０の後端部は軸部５５が形成されている。軸部５５はベース部２に突設された筒部２４に形成された軸受部２５に挿通している。
【００３５】
そして回動部材５０の後側下方部（図２において紙面の背面側）にはギヤーレバー６０が配設されている。ギヤーレバー６０は前記筒部２４に回動可能に嵌合し筒部２４の外周部に形成された爪部２６により上方側への抜けが防止されている。
【００３６】
このギヤーレバー６０には、図５（ｂ）に示すように、前記回動部材５０の駆動用のギヤー部５１と噛合する被駆動用のギヤー部６１を備え、この被駆動用のギヤー部６１は、図中左側に前記駆動用のギヤー部５１の大径の歯部５２と噛合する歯部６２と小径の歯部５３と噛合する歯部６３と中間の歯部５４と噛合する歯部６４とで構成されている。この歯部６４の各歯の歯部６２側は、それぞれアール状に切除されている。
【００３７】
なお、図５（ａ）に示すように大径の歯部５２、及び中間の歯部５４の歯５４ａの回動半径ｒ５、中間の歯部５４の歯５４ｂの回動半径ｒ６、歯５４ｃの回動半径ｒ７、小径の歯部５３の回動半径ｒ８とし、ｒ５＞ｒ６＞ｒ７＞ｒ８となるように構成している。従って、回動部材５０が同じ角度で回動した場合、大径の歯部５２が被駆動用のギヤー部６１と噛合してギヤーレバー６０を回動させる角度の方が小径の歯部５３が被駆動用のギヤー部６１と噛合してギヤーレバー６０を回動させる角度よりも大きくなる。すなわち、半径ｒ５、ｒ６、ｒ７、ｒ８の大きさに比例してギヤーレバー６０を回動させる角度が大きくなる。
【００３８】
また、ギヤーレバー６０の後方には張出部６５が形成され、この張出部６５にはワイヤー取付穴６６が形成されている。そして、ギヤーレバー６０の回動がワイヤーケーブル６７のインナワイヤ６７ａを介して風向きを変えるダンパーの駆動を制御している。
【００３９】
そして、ギヤーレバー６０の回動角度と風向きを変えるダンパーとの関係は、図１１（ｂ）に示した従来例と同様に、ギヤーレバー６０が時計回りに回動してＦＯＯＴ−ＤＥＦの位置にするまで、およびのＦＯＯＴ−ＤＥＦの位置からＤＥＦにするまでの回動角度をα４、α５、ギヤーレバー６０が反時計回りに回動してＦＯＯＴ−ＦＡＣＥの位置にするまで、およびのＦＯＯＴ−ＦＡＣＥの位置からＦＡＣＥにするまでの回動角度をα６、α７とすると、この回動角度の関係は、α５＜α４＜α６＜α７となっている。なお、本実施例のギヤレバー６０は従来例のギヤレバー２０４に対して、ギヤー部６１の形状が相違している点で異なる。
【００４０】
次に、温度調節装置３と送風モード切換装置４の動作について説明する。温度調節装置３において、図１に示す状態では温度調節用の操作ノブ９が中立位置にあり、空調装置側部材の温風と冷風との混合量を調節するエアミックスダンパーも中立位置にある。そして、この位置では、回動部材３０の小径の歯部３４が被駆動用のギヤー部４１の歯部４４と噛合している。
【００４１】
この位置から操作ノブ９を時計回りに回動させると、回動部材３０も一体的に時計回りに回動し、回動部材３０の小径の歯部３４とギヤーレバー４０の歯部４４が噛合しているため、ギヤーレバー４０は図２において時計回りに回動する。このとき回動部材３０の回動角度に対するギヤーレバー４０の回動角度は小さい割合で回動する。そして、操作ノブ９を所定角度（概略最大角度の１／３）まで回動すると、小径の歯部３４は歯部４４との噛合が外れ、次に中間の歯部３６が歯部４６と噛合した状態となる。そして、ギヤーレバー４０が時計回りに角度α１だけ回動し、ギヤーレバー４０のワイヤー取付穴４８に取り付けられたインナワイヤ４９ａを縮み方向に距離ｓ１だけ作動させ、空調装置側部材のエアミックスダンパーを駆動して冷風を減少させ、温風の量を増加させる。
【００４２】
そして、更に操作ノブ９を時計回りに回動させると、中間の歯部３６と歯部４６とが噛合してギヤーレバー４０を更に時計回りに回動する。このとき、回動部材３０の回動角度に対するギヤーレバー４０の回動角度の割合が増加しながらギヤーレバー４０が回動する。そして、操作ノブ９を所定角度（概略最大角度の２／３）まで回動すると、中間の歯部３６は歯部４６との噛合が外れ、次に大径の歯部３３が歯部４３と噛合した状態となる。そして、ギヤーレバー４０が時計回りに角度α２だけ回動し、インナワイヤ４９ａがさらに縮み方向に距離ｓ１だけ作動して、空調装置側部材のエアミックスダンパーを駆動してさらに冷風を減少させ、温風の量を増加させる。
【００４３】
このとき詳細には、最初に、中間の歯部３６の歯３６ｃと歯部４６の歯４６ｃが噛み合い、次に歯３６ｂと歯４６ｂ、さらに歯３６ａと歯４６ａが噛み合い、そして、噛み合い後には順次それぞれの歯の噛合が解除されていく。しかし、歯部４６において歯４６ｂよりも歯４６ｃのほうが回動部材３０側により突出した位置に設けられているため係合代が大きくなり、歯３６ｃが歯部４６より抜けにくい構成となるが、歯４６ｃにアール部４６ｆを形成すると共に、歯３６ｃにもアール部３６ｆを形成して係合代が小さくなるようにしているため、歯３６ｃが歯部４６から抜け出す際に、歯３６ｃが歯４６ｃと干渉して回動部材３０の回動を妨げるようなことがない。さらに、中間の歯部３６の歯３６ａ，３６ｂ及び歯部４６の歯４６ａ，４６ｂにも同様にアール部３６ｄ，３６ｅ，４６ｄ，４６ｅを形成しているので、スムーズに回動部材３０の回動操作を行うことができる。なお、歯３６ｃと歯４６ｃの両方にアール部を設けることにより、より係合代を小さくすることができるようになる。
【００４４】
更に操作ノブ９を時計回りに回動させると、大径の歯部３３と歯部４３とが噛合してギヤーレバー４０を更に時計回りに回動する。このとき回動部材３０の回動角度に対するギヤーレバー４０の回動角度は大きい割合で回動する。そして、操作ノブ９を最大角度まで回動させるとギヤーレバー４０が時計回りに角度α３だけ回動し、インナワイヤ４９ａがさらに縮み方向に距離ｓ１だけ作動して、空調装置側部材のエアミックスダンパーは温風のみにして高温にセットされる。
【００４５】
これとは反対に中立位置から操作ノブ９を反時計回りに回動させると、同様にギヤーレバー４０は図２において反時計回りに回動する。このときも回動部材３０の回動角度に対するギヤーレバー４０の回動角度は小さい割合で回動する。そして所定角度（概略最大角度の１／３）まで回動すると、小径の歯部３４は歯部４４との噛合が外れ、続いて中間の歯部３５が歯部４５と噛合し、ギヤーレバー４０が反時計回りに角度α１だけ回動し、インナワイヤ４９ａを伸び方向に距離ｓ１だけ作動させ、空調装置側部材のエアミックスダンパーを駆動して温風を減少させ、冷風の量を増加させる。
【００４６】
そして、更に操作ノブ９を反時計回りに回動させると、中間の歯部３５と歯部４５とが噛合してギヤーレバー４０を更に反時計回りに回動する。このときも、回動部材３０の回動角度に対するギヤーレバー４０の回動角度の割合が増加しながらギヤーレバー４０が回動する。そして所定角度（概略最大角度の２／３）まで回動すると、中間の歯部３５は歯部４５との噛合が外れ、次に大径の歯部３２が歯部４２と噛合した状態となる。そして、ギヤーレバー４０が反時計回りに角度α２だけ回動し、インナワイヤ４９ａがさらに伸び方向に距離ｓ１だけ作動して、空調装置側部材のエアミックスダンパーを駆動してさらに温風を減少させ、冷風の量を増加させる。
【００４７】
このとき詳細には、最初に、中間の歯部３５の歯３５ｃと歯部４５の歯４５ｃが噛み合い、次に歯３５ｂと歯４５ｂ、さらに歯３５ａと歯４５ａが噛み合い、そして、噛み合い後には順次それぞれの歯の噛合が解除されていく。そして、この中間の歯部３５と歯部４５の各歯にはアール部３５ｄ，３５ｅ，３５ｆ及びアール部４５ｄ，４５ｅ，４５ｆが設けられているため、前記中間の歯部３６と歯部４６との噛み合い時と同様に、中間の歯部３５と歯部４５とが干渉することなく、スムーズに回動部材３０の回動操作を行うことができる。
【００４８】
そして、操作ノブ９を更に反時計回りに回動させると、ギヤーレバー４０を更に反時計回りに回動する。このときも回動部材３０の回動角度に対するギヤーレバー４０の回動角度は大きい割合で回動する。そして、操作ノブ９を最大角度まで回動させるとギヤーレバー４０が反時計回りに角度α３だけ回動し、インナワイヤ４９ａがさらに伸び方向に距離ｓ１だけ作動して、空調装置側部材のエアミックスダンパーは冷風のみにして低温にセットされる。
【００４９】
上記したように、操作ノブ９を中立位置から所定角度、時計回り又は反時計回りに回動させた場合には、回動部材３０の回動角度に対するギヤーレバー４０の回動角度は小さい割合で回動し、所定角度を超えて回動させた場合は、回動部材３０の回動角度に対するギヤーレバー４０の回動角度が次第に増加して、最後には大きい割合で回動させる。したがって、操作ノブ９を一定の角度回動操作したときのギヤーレバー４０の回動角度を変化させることができるため、温度調節用の操作ノブ９の回動角度に比例してインナワイヤ４９ａの縮量を変化させることができるようになる。
【００５０】
一方、送風モード切換装置４において、図１に示す状態では送風モード切換用の操作ノブ１０が中立位置にあり、送風モード切換装置４はＦＯＯＴの位置にあり足元に風を送るようになっている。そして、この位置では、図５（ｂ）に示すように回動部材５０の中間の歯部５４が被駆動用のギヤー部６１の歯部６４と噛合している。
【００５１】
従って、この位置から操作ノブ１０を時計回りに回動させると、回動部材５０が時計回りに回動し、回動部材５０の中間の歯部５４と被駆動用のギヤー部６１の歯部６４が噛合した後、引き続いて小径の歯部５３と歯部６３が噛合して、ギヤーレバー６０は図２において時計回りに回動し、ワイヤーケーブル６７のインナワイヤ６７ａを介して風向きを変えるダンパーを駆動する。このとき回動部材５０の回動角度に対するギヤーレバー６０の回動角度は次第に減少し、小径の歯部５３と被駆動用のギヤー部６１が噛合して回動している状態では小さい割合で回動する。そして、操作ノブ１０をＦＯＯＴ−ＤＥＦ用の表示１５ｄの位置まで回動すると、ギヤーレバー６０が角度α４だけ回動してインナワイヤ６７ａを作動させ、風向きを変えるダンパーはＦＯＯＴ−ＤＥＦの位置となり、足元とフロントガラスに向けて送風するようになっている。更に操作ノブ１０をＤＥＦ用の表示１５ｅの位置まで時計回りに回動させると、ギヤーレバー６０は小さい割合で、更に時計回りに回動し、ギヤーレバー６０がさらに角度α５だけ回動してインナワイヤ６７ａを作動させ、風向きを変えるダンパーはＤＥＦの位置となり、足元への送風を止めてフロントガラスにのみ向けて送風するようになっている。
【００５２】
これとは反対に中立位置から操作ノブ１０を反時計回りに回動させると、回動部材５０の中間の歯部５４と被駆動用のギヤー部６１の歯部６４が噛合した後、引き続いて大径の歯部５２と歯部６２が噛合して、ギヤーレバー６０は図２において反時計回りに回動する。このときは回動部材５０の回動角度に対するギヤーレバー６０の回動角度は次第に増加し、大径の歯部５２と歯部６２が噛合して回動している状態では大きい割合で回動する。そして、操作ノブ１０をＦＯＯＴ−ＦＡＣＥ用の表示１５ｂの位置まで回動すると、ギヤーレバー６０が角度α６だけ回動してインナワイヤ６７ａを作動させ、風向きを変えるダンパーはＦＯＯＴ−ＦＡＣＥの位置となり、足元と顔方向に送風するようになっている。更に、操作ノブ１０をＦＡＣＥ用の表示１５ａの位置まで反時計回りに回動させると、ギヤーレバー６０は大さい割合で角度α７だけ回動してインナワイヤ６７ａを作動させ、風向きを変えるダンパーはＦＡＣＥの位置となり、足元への送風を止めて顔方向にのみ送風するようになっている。
【００５３】
上記したように、操作ノブ１０を中立位置から時計回りに回動させた場合には、回動部材５０の回動角度に対するギヤーレバー６０の回動角度が次第に減少して、最後には小さい割合でギヤーレバー６０を回動させる。一方、操作ノブ１０を中立位置から反時計回りに回動させた場合には、回動部材５０の回動角度に対するギヤーレバー６０の回動角度は次第に増加して、最後には大きい割合でギヤーレバー６０を回動させる。したがって、操作ノブ１０を一定の角度回動操作したときのギヤーレバー６０の回動角度を変化させることができるようになる。
【００５４】
次に、回動部材及びギヤーレバーの変形例について、以下、図面にしたがって説明する。なお、図１に示す表示パネル１に設けられた操作ノブ９，１０、表示部１４，１５及びスイッチ等の各部材は、前記第１，第２実施例と同様であるため、その説明は省略する。
【００５５】
図６は、本発明の第３実施例を適用した自動車のヒーターコントロ―ル装置を示し、このヒーターコントロール装置の温度調節用の操作ノブ９の裏面側には温度調節装置７０が設けられ、送風モード切換用の操作ノブ１０の裏面側には送風モード切換装置７１が設けられている。
【００５６】
送風モード切換装置７１は本発明の第３実施例を示し、この送風モード切換装置７１には、操作ノブ１０と一体的に回動する回動部材７２が表示板１を挟んで、ベース部２に設けられた軸挿通孔２ａに回動自在に取り付けられている。この回動部材７２の後端部には駆動用のギヤー部７３が形成され、この駆動用のギヤー部７３は、図８に示すように図中左側から反時計回り順に３本の歯で形成された小径の歯部７４と、順次径が変化した８本の歯で形成された中間の歯部７５と、３本の歯で形成された大径の歯部７６と、順次径が変化した４本の歯で形成された終端の歯部７７で構成されている。
【００５７】
そして回動部材７２の後側（図６において紙面の手前側）には、ギヤーレバー８０が配設されている。ギヤーレバー８０は、ベース部２に回動部材７２の軸方向に突設された筒部７８に回動可能に嵌合し、筒部７８の外周部に形成された爪部７９により後方側への抜けが阻止されている。
【００５８】
このギヤーレバー８０の回動軸の近傍には、回動部材７２側に突出した段差部８１が設けられ、その段差部８１の外周面には回動部材７２の駆動用のギヤー部７３と噛合する被駆動用のギヤー部８２が形成されている。この被駆動用のギヤー部８２は、図８中左側から時計回り順に前記駆動用のギヤー部７３の小径の歯部７４と噛合する歯部８３と、中間の歯部７５と噛合する歯部８４と、大径の歯部７６と噛合する歯部８５と、終端の歯部７７と噛合する歯部８６で構成されている。
【００５９】
なお、回動部材７２に形成されたギヤー部７３の大径の歯部７６の回動半径ｒ９、小径の歯部７４の回動半径ｒ１０とし、ｒ９＞ｒ１０となるように構成している。また、中間の歯部７５の各歯の回動半径は、ｒ９より小さく、ｒ１０より大きい範囲内において、小径の歯部７４側の歯から順に、大径の歯部７６側に向かって回動半径が順次大きくなるように構成されている。さらに、終端の歯部７７の各歯の回動半径は、大径の歯部７６側の歯から順に、回動半径が順次小さくなるように構成され、その回動半径の歯ごとの減少比率は、中間の歯部７５の回動半径の増加比率と同等となるように構成されている。
【００６０】
また、ギヤーレバー８０の外周には張出部８７が形成され、この張出部８７にはワイヤー取付穴８８が形成されている。そして、ギヤーレバー８０の回動がワイヤーケーブル９１のインナワイヤ９１ａを介して風向きを変えるダンパーの駆動を制御している。
【００６１】
なお、本実施例においては、ギヤーレバー８０が図７に示す中立の位置にあるときには、風向きを変えるダンパーはＦＯＯＴの位置となり、中立位置から時計回りに角度α８だけ回動すると、風向きを変えるダンパーはＦＯＯＴ−ＦＡＣＥの位置となり、さらに時計回りに角度α９だけ回動すると、風向きを変えるダンパーはＦＯＯＴの位置となる。また、中立位置から反時計回りに角度α１０だけ回動すると、風向きを変えるダンパーはＦＯＯＴ−ＤＥＦの位置となり、さらに時計回りに角度α１１だけ回動すると、風向きを変えるダンパーはＤＥＦの位置となるように構成されている。そして、その回動角度の関係は、α９＜α８＜α１０及び、α１０＝α１１の関係となっている。
【００６２】
次に、送風モード切換装置７１の動作について説明する。送風モード切換装置７１において、図７に示す状態では送風モード切換用の操作ノブ１０が中立位置にあり、送風モード切換装置７１はＦＯＯＴの位置にあり足元に風を送るようになっている。そして、この位置では、図８に示すように回動部材７２の中間の歯部７５が被駆動用のギヤー部８２の歯部８４と噛合している。
【００６３】
従って、この位置から操作ノブ１０を時計回りに回動させると、回動部材７２が時計回りに回動し、回動部材７２の中間の歯部７５と被駆動用のギヤー部８２の歯部８４が噛合した後、引き続いて大径の歯部７６と歯部８５が噛合して、ギヤーレバー８０は図７において反時計回りに回動し、ワイヤーケーブル９１のインナワイヤ９１ａを介して風向きを変えるダンパーを駆動する。このとき回動部材７２の回動角度に対するギヤーレバー８０の回動角度は次第に増加し、大径の歯部７６と歯部８５が噛合して回動している状態では大きい割合で回動する。そして、操作ノブ１０をＦＯＯＴ−ＤＥＦ用の表示１５ｄの位置まで回動すると、ギヤーレバー８０が角度α１０だけ回動してインナワイヤ９１ａを作動させ、風向きを変えるダンパーはＦＯＯＴ−ＤＥＦの位置となり、足元とフロントガラスに向けて送風するようになっている。
【００６４】
更に操作ノブ１０をＤＥＦ用の表示１５ｅの位置まで時計回りに回動させると、終端の歯部７７と歯部８６が噛合して、ギヤーレバー８０は図７において反時計回りに回動する。このとき回動部材７２の回動角度に対するギヤーレバー８０の回動角度は次第に減少し、ギヤーレバー８０が角度α１１だけ回動してインナワイヤ９１ａを作動させ、風向きを変えるダンパーはＤＥＦの位置となり、足元への送風を止めてフロントガラスにのみ向けて送風するようになっている。
【００６５】
これとは反対に中立位置から操作ノブ１０を反時計回りに回動させると、回動部材７２の中間の歯部７５と被駆動用のギヤー部８２の歯部８４が噛合した後、引き続いて小径の歯部７４と歯部８３が噛合して、ギヤーレバー８０は図７において時計回りに回動する。このときは回動部材７２の回動角度に対するギヤーレバー８０の回動角度は次第に減少し、小径の歯部７４と歯部８３が噛合して回動している状態では小さい割合で回動する。その際、ＦＯＯＴ−ＦＡＣＥ用の表示１５ｂの位置まで回動すると、ギヤーレバー８０が角度α８だけ回動してインナワイヤ９１ａを作動させ、風向きを変えるダンパーはＦＯＯＴ−ＦＡＣＥの位置となり、足元と顔方向に送風するようになっている。更に操作ノブ１０をＦＡＣＥ用の表示１５ａの位置まで反時計回りに回動させると、ギヤーレバー８０は小さい割合で、更に時計回りに回動し、ギヤーレバー８０が角度α９だけさらに回動してインナワイヤ９１ａを作動させ、風向きを変えるダンパーはＦＡＣＥの位置となり、足元への送風を止めて顔方向にのみ送風するようになる。
【００６６】
よって、上記各実施例から明らかなように、所望するギヤーレバーの回動角度の状態に応じて、適宜ギヤー部の個々の歯の回転中心からの距離や歯の枚数を変更しても、本発明の実施の形態と同様の効果を得ることができる。
【００６７】
【発明の効果】
以上説明したように、本発明のヒーターコントロール装置によれば、回動操作される操作ノブと、該操作ノブと一体的に回動し駆動用のギヤー部が形成された回動部材と、該回動部材のギヤー部に噛合する被駆動用のギヤー部が形成されたギヤー部材と、該ギヤー部材と空調装置側を連結する連結部材と、前記操作ノブを配設し、前記操作ノブの回動位置を指示する表示部が設けられた表示板とを備え、前記表示板の表示部を等間隔に前記操作ノブの周囲に配設し、前記ギヤー部に形成された個々の歯の回転中心からの距離を前記表示板の表示部における前記操作ノブの中立位置から前記操作ノブの回動方向に向けて所定角度で変化させ、前記表示板の表示部に応じた前記操作ノブの一定の角度回動に対して、前記ギヤー部材への伝達比を前記操作ノブの回動方向に向けて所定角度で変化させ、前記操作ノブの回動に応じて空調装置側部材を駆動するようにしたヒーターコントロール装置において、前記回動部材のギヤー部の歯を前記表示板の表示部における前記操作ノブの中立位置から前記操作ノブの回動方向の一方側に向けて回転中心からの距離が大きくなるように形成し、前記操作ノブの中立位置から前記操作ノブの回動方向の他方側に回転中心からの距離が小さくなる歯を形成しているので、簡単な構造で、部品点数を増加させることなく、操作ノブの回動範囲を均一にすることができる。
【００６８】
すなわち、表示板の表示部における操作ノブの中立位置から操作ノブの回動方向に対して、回動部材の回転中心からの距離が異なるギヤーを左右に設けるだけの簡単な構造で、ギヤーレバーの一方側の回動角度と他方側の回動角度に差があっても、操作ノブ側のモードの間隔を均一にすることができる。
【００６９】
さらに、回動部材のギヤー部は、操作ノブが表示板の表示部における中立位置となる中央部に回転中心からの距離が小さくなる歯を形成し、中央部の両側部に回転中心からの距離が大きくなる歯を形成するようにすれば、ギヤー部材の回動量に対する連結部材の伸縮量が、中央付近では大きく中心から離れるにしたがって小さくなるものであっても、これを補正することができ、操作ノブ側のモードの間隔を均一にすることができる。
【図面の簡単な説明】
【図１】本発明のヒーターコントロール装置の正面図である。
【図２】図１の平面図である。
【図３】第１実施例の回動部材とギヤーレバーを示したものであり、（ａ）は回動部材のギヤー部、（ｂ）は回動部材とギヤーレバーの関係を示した一部断面側面図である。
【図４】第１実施例の回動部材のギヤー部を示し、（ａ）は左側の中間の歯部、（ｂ）は右側の中間の歯部の噛み合いの状態を示す拡大図である。
【図５】第２実施例の回動部材とギヤーレバーを示したものであり、（ａ）は回動部材のギヤー部、（ｂ）は回動部材とギヤーレバーの関係を示した一部断面側面図である。
【図６】第３実施例のヒーターコントロール装置の背面図である。
【図７】第３実施例のギヤーレバーの回動範囲を操作ノブ側から見た図である。
【図８】図７の拡大図であり、ギヤー部の噛み合いの関係を示した図である。
【図９】従来実施例のヒーターコントロール装置の正面図である。
【図１０】図９の平面図である。
【図１１】（ａ）は従来実施例の温度調節装置のギヤーレバーの回動範囲と連結部材の伸縮量の関係を示した図、（ｂ）は従来実施例の送風モード切換装置のギヤーレバーの回動範囲を示した図である。
【符号の説明】
３  温度調節装置
４、７１  送風モード切換装置
９、１０  操作ノブ
３０、５０、７２  回動部材
３１、５１、７３  ギヤー部
４０、６０、８０  ギヤー部材（ギヤーレバー）
４１、６１、８２  被駆動用のギヤー部
４９、６７、９１  連結部材（ワイヤーケーブル）
【図１】
0004108352.tif 000002
【図２】
0004108352.tif 000003
【図３】
0004108352.tif 000004
【図４】
0004108352.tif 000005
【図５】
0004108352.tif 000006
【図６】
0004108352.tif 000007
【図７】
0004108352.tif 000008
【図８】
0004108352.tif 000009
【図９】
0004108352.tif 000010
【図１０】
0004108352.tif 000011
【図１１】
0004108352.tif 000012